(57)【要約】【課題】  挿入スロットと、ｘＤカード、ＭＳカード、ＳＭカード、ＳＤカード、またはＭＭＣカードを含む１組のメモリ・カードの１つを接続するための異なる位置にある挿入スロットにそれぞれ懸架されている４つの組の端子とを有し、第１の端子、第２の端子、第３の端子、および第４の端子の一端部が、ハウジングから突出し、プリント基板に結合するように列として交差している多数一体型コネクタ構造を提供すること。【解決手段】  ハウジングと、取り付けのため水平に延びている第１の端子と、取り付けのため第１の端子と交差している第２の端子と、取り付けのため水平に延び、第１および第２の端子の第２の端部よりも短い第３の端子であって、第１の端子の第２の端部が第２の端子の第２の端部に交互に位置決めされている、第３の端子と、取り付けのため水平に延びている第４の端子とを備えることからなる。【選択図】  図２
0003104573.tif 000002
【実用新案登録請求の範囲】
【請求項１】
カード読取装置内で使用される多数一体型コネクタ構造において、
少なくとも１つのメモリ・カードを保持する挿入スロットを有し、その上面に複数の開口を有するハウジングと、
湾曲形状をもつ複数の第１の端子であって、その第１の端部がそれぞれ挿入スロットに挿入され、ハウジングの後端部から開口内に延び、その第２の端部がそれぞれハウジングの後端部から外に下向きに延び、取り付けのため水平に延びている第１の端子と、
湾曲形状をもつ複数の第２の端子であって、その第１の端部がそれぞれ挿入スロットに挿入され、ハウジングの後端部から第１の端子の下に配置され、その第２の端部がそれぞれハウジングの後端部から外に下向きに延び、水平に延び、取り付けのため第１の端子と交差している第２の端子と、
湾曲形状をもつ第３の端子において、その第１の端部がそれぞれ挿入スロットに挿入され、ハウジングの後端部から第２の端子の下に配置され、その第２の端部がそれぞれハウジングの後端部から外に下向きに延び、取り付けのため水平に延び、第１および第２の端子の第２の端部よりも短い第３の端子であって、第１の端子の第２の端部が第２の端子の第２の端部に交互に位置決めされている、第３の端子と、
複数の第４の端子であって、その第１の端部がそれぞれハウジングの前端部から挿入スロットに挿入され、その第２の端部がそれぞれハウジングの後端部から外に下向きに延び、取り付けのため水平に延びている第４の端子とを備える多数一体型コネクタ構造であって、
複数のメモリ・カードをそれぞれ前記ハウジングの前記前端部から前記挿入スロットに挿入する時に、前記メモリ・カードの複数の接触子が、前記第１の端子、第２の端子、第３の端子、または第４の端子にそれぞれ接触して、前記メモリ・カードにアクセスすることができることを特徴とする多数一体型コネクタ構造。
【請求項２】
前記メモリ・カードが、ｘＤカード、ＳＤ／ＭＭＣカード、スマート・メディア・カード、またはＭＳカードであってもよいことを特徴とする請求項１に記載の多数一体型コネクタ構造。
【請求項３】
前記第１の端子が、前記ＳＤ／ＭＭＣメモリ・カードの前記接触子と接触していることを特徴とする請求項１に記載の多数一体型コネクタ構造。
【請求項４】
前記第２の端子が、前記スマート・メディア・メモリ・カードの前記接触子と接触していることを特徴とする請求項１に記載の多数一体型コネクタ構造。
【請求項５】
前記第３の端子が、前記ＭＳメモリ・カードの前記接触子と接触していることを特徴とする請求項１に記載の多数一体型コネクタ構造。
【請求項６】
前記第４の端子が、前記ｘＤメモリ・カードの前記接触子と接触していることを特徴とする請求項１に記載の多数一体型コネクタ構造。
【請求項７】
さらに、少なくとも１つのファスナおよび取付孔を備え、前記ファスナが前記取付孔の内側に位置し、前記ハウジングを固定するようにプリント基板上に取り付けることができることを特徴とする請求項１に記載の多数一体型コネクタ構造。
【請求項８】
さらに、前記スマート・メディア・メモリ・カードへのデータの書き込みを防ぐように、前記第４の端子の一端部で前記ハウジング内に設置された書込禁止装置を備えることを特徴とする請求項１に記載の多数一体型コネクタ構造。
【請求項９】
前記書込禁止装置がさらに、複数の第５の端子を備えることを特徴とする請求項８に記載の多数一体型コネクタ構造。
【請求項１０】
前記ハウジングはさらに、第１のキャビティおよび第１の挿入外れ防止装置を備え、前記第１のキャビティが前記ハウジングの左上に位置し、前記第１の挿入外れ防止装置が、前記スマート・メディア・メモリ・カードを誤って挿入するのを防ぐように、前記第１のキャビティの内側に位置していることを特徴とする請求項１に記載の多数一体型コネクタ構造。
【請求項１１】
前記ハウジングがさらに、第２のキャビティと、第３のキャビティと、ブロッカとを備え、前記第２のキャビティおよび前記第３のキャビティは前記ハウジングの左上に位置しており、前記ブロッカはさらにハンドル部およびレードル部を備え、組立中に、前記ハンドル部を前記第３のキャビティの内側に位置決めすることができ、次いで前記レードル部を第２のキャビティの内側に位置決めして、前記ＳＤメモリ・カードを固定できることを特徴とする請求項１に記載の多数一体型コネクタ構造。
【請求項１２】
前記ハウジングはさらに、第４のキャビティおよび第１のカード検出装置を備え、前記第４のキャビティは前記ハウジングの右上に位置し、さらに複数の第５のキャビティを有する仕切部を備えており、前記第１のカード検出装置はさらに、第１の検出装置および第２の検出装置を備え、前記第１の検出装置は第６の端子および第７の端子を備えており、前記第６の端子は、下向きに延び、上向きに延び、その後水平に延びており、前記第７の端子は左に延び、下向きに延び、その後上向きに延びており、前記第２の検出装置はさらに第８の端子を備え、前記第８の端子は長さが異なる２つの分岐端部を有し、突起部はそれぞれ、各端部の略中央部に位置しており、前記第６の端子、前記第７の端子、および前記第８の端子の別の端部は、前記ハウジングから突出し、下向きに延び、その後前記第２の接触子と結合するように上向きに延びており、組立中に、前記第６の端子および前記第７の端子を、前記仕切部の両側にそれぞれ位置決めすることができ、前記第８の端子を前記第７の端子の左上に位置決めすることができ、前記突起部は、前記仕切部の凹部と係合し、それによって前記第８の端子が前記第６の端子および前記第７の端子と接触するのを防ぎ、これにより、前記ＳＤメモリ・カードまたは前記ＭＭＣメモリ・カードが前記スロットに挿入されている間、前記コネクタは、前記ＳＤメモリ・カードまたは前記ＭＭＣメモリ・カードの前記挿入を検出できることを特徴とする請求項１に記載の多数一体型コネクタ構造。
【請求項１３】
さらに、前記第３の端子の下に位置するカード検出・書込装置を備え、さらに検出部および書込禁止部を備えており、前記検出部は中空部であり、前記中空部内に位置する第１の金属シートを有し、前記第１の金属シートの一端部には突起部を有し、前記書込禁止部も中空部を有し、前記中空部内に位置する第２の金属シートを有し、前記検出部および書込禁止部の別の端部は、前記ハウジングから突出し、下向きに延び、その後前記第２の接触子と結合するように水平に延びており、それによって、前記ＳＤメモリ・カードまたは前記ＭＭＣメモリ・カードが前記スロットに挿入されている間、前記コネクタは前記ＳＤメモリ・カードまたは前記ＭＭＣメモリ・カードの前記挿入を検出することができ、前記ＳＤメモリ・カードまたは前記ＭＭＣメモリ・カードの書込禁止スイッチが開いている場合、前記書込禁止部は前記検出部に接触し、それによって前記ＳＤメモリ・カードまたは前記ＭＭＣメモリ・カードにデータを書き込むことが可能になることを特徴とする請求項１に記載の多数一体型コネクタ構造。
【考案の詳細な説明】
【技術分野】
【０００１】
本考案は、メモリ・カード・コネクタに関し、より詳しくは、ｘＤカード、ＭＤカード、ＳＭカード、ＳＤカード、またはＭＭＣカードなどの様々なメモリ・カードの何れかを受け入れるハウジングの開口側部に挿入スロットを有し、第１の端子、第２の端子、第３の端子、および第４の端子の一端部がハウジングから突出し、プリント基板に結合するように列として交差している、多数一体型コネクタ構造用のコネクタ構造に関する。
【背景技術】
【０００２】
一般に、従来技術のカード読取装置構造は、使用者に便利なように、ｘＤメモリ・カード、ＭＳメモリ・カード、ＳＭメモリ・カード、ＳＤメモリ・カード、またはＭＭＣメモリ・カードなどを読取る機能などの多数一体型機能を有する。
【考案の開示】
【考案が解決しようとする課題】
【０００３】
図１ａおよび１ｂを参照すると、従来技術の多数一体型コネクタ構造の上面図および断面図が示されている。図に示すように、従来技術の多数一体型コネクタ構造は少なくとも、複数の第１の端子７１と、複数の第２の端子７２と、複数の第３の端子７３とを備える。第１の端子７１、第２の端子７２、および第３の端子７３がプリント基板上にはんだ付けされているときに、第１の端子７１の１つがはんだ付け不良であることが分かっても、はんだ付け不良の第１の端子７１を修復するための十分な空間がない。エンジニアが不良の第１の端子７１を修復したくても、まずプリント基板から第２の端子７２のはんだ付けを外し、次いではんだ付け不良の第１の端子７１を修復しなければならず、それによって時間の無駄になり、第２の端子７２が破壊されやすくなる。
【課題を解決するための手段】
【０００４】
本考案は、これらの状況を考慮して完成された。本考案の一態様によると、多数一体型コネクタ構造は、挿入スロットと、ｘＤカード、ＭＳカード、ＳＭカード、ＳＤカード、またはＭＭＣカードを含む１組のメモリ・カードの１つを接続するための異なる位置にある挿入スロットにそれぞれ懸架されている４つの組の端子とを有し、第１の端子、第２の端子、第３の端子、および第４の端子の一端部が、ハウジングから突出し、プリント基板に結合するように列として交差している。
【０００５】
本考案の多数一体型コネクタ構造は、少なくとも１つのメモリ・カードを保持する挿入スロットを有し、その上面に複数の開口を有するハウジングと、湾曲形状をもつ複数の第１の端子であって、その第１の端部がそれぞれ挿入スロット内に挿入され、ハウジングの後端部から開口内に延び、その第２の端部がそれぞれハウジングの後端部から外に下向きに延び、取り付けのため水平に延びている第１の端子と、湾曲形状をもつ複数の第２の端子であって、その第１の端部がそれぞれ挿入スロットに挿入され、ハウジングの後端部から第１の端子の下に配置され、その第２の端部がそれぞれハウジングの後端部から外に下向きに延び、水平に延び、取り付けのため第１の端子と交差している第２の端子と、湾曲形状をもつ第３の端子において、その第１の端部がそれぞれ挿入スロットに挿入され、ハウジングの後端部から第２の端子の下に配置され、その第２の端部がそれぞれハウジングの後端部から外に下向きに延び、取り付けのために水平に延び、第１および第２の端子の第２の端部よりも短い第３の端子であって、第１の端子の第２の端部が第２の端子の第２の端部に交互に位置決めされる、第３の端子と、複数の第４の端子であって、その第１の端部がそれぞれハウジングの前端部から挿入スロットに挿入され、その第２の端部がそれぞれハウジングの後端部から外に下向きに延び、取り付けのため水平に延びている第４の端子とを備えている。それによって、複数のメモリ・カードをそれぞれハウジングの前端部から挿入スロット内に挿入する時に、メモリ・カードの複数の接触子が、第１の端子、第２の端子、第３の端子、または第４の端子にそれぞれ接触して、メモリ・カードにアクセスすることができることからなる。
又、前記メモリ・カードが、ｘＤカード、ＳＤ／ＭＭＣカード、スマート・メディア・カード、またはＭＳカードであってもよいことが好適である。
又、前記第１の端子が、前記ＳＤ／ＭＭＣメモリ・カードの前記接触子と接触していることが好適である。
又、前記第２の端子が、前記スマート・メディア・メモリ・カードの前記接触子と接触していることが好適である。
又、前記第３の端子が、前記ＭＳメモリ・カードの前記接触子と接触していることが好適である。
また、前記第４の端子が、前記ｘＤメモリ・カードの前記接触子と接触していることが好適である。
又、さらに、少なくとも１つのファスナおよび取付孔を備え、前記ファスナが前記取付孔の内側に位置し、前記ハウジングを固定するようにプリント基板上に取り付けることができることが好適である。
又、さらに、前記スマート・メディア・メモリ・カードへのデータの書き込みを防ぐように、前記第４の端子の一端部で前記ハウジング内に設置された書込禁止装置を備えることが好適である。
又、前記書込禁止装置がさらに、複数の第５の端子を備えることが好適である。
又、前記ハウジングはさらに、第１のキャビティおよび第１の挿入外れ防止装置を備え、前記第１のキャビティが前記ハウジングの左上に位置し、前記第１の挿入外れ防止装置が、前記スマート・メディア・メモリ・カードを誤って挿入するのを防ぐように、前記第１のキャビティの内側に位置していることが好適である。
又、前記ハウジングがさらに、第２のキャビティと、第３のキャビティと、ブロッカとを備え、前記第２のキャビティおよび前記第３のキャビティは前記ハウジングの左上に位置しており、前記ブロッカはさらにハンドル部およびレードル部を備え、組立中に、前記ハンドル部を前記第３のキャビティの内側に位置決めすることができ、次いで前記レードル部を第２のキャビティの内側に位置決めして、前記ＳＤメモリ・カードを固定できることが好適である。
又、前記ハウジングはさらに、第４のキャビティおよび第１のカード検出装置を備え、前記第４のキャビティは前記ハウジングの右上に位置し、さらに複数の第５のキャビティを有する仕切部を備えており、前記第１のカード検出装置はさらに、第１の検出装置および第２の検出装置を備え、前記第１の検出装置は第６の端子および第７の端子を備えており、前記第６の端子は、下向きに延び、上向きに延び、その後水平に延びており、前記第７の端子は左に延び、下向きに延び、その後上向きに延びており、前記第２の検出装置はさらに第８の端子を備え、前記第８の端子は長さが異なる２つの分岐端部を有し、突起部はそれぞれ、各端部の略中央部に位置しており、前記第６の端子、前記第７の端子、および前記第８の端子の別の端部は、前記ハウジングから突出し、下向きに延び、その後前記第２の接触子と結合するように上向きに延びており、組立中に、前記第６の端子および前記第７の端子を、前記仕切部の両側にそれぞれ位置決めすることができ、前記第８の端子を前記第７の端子の左上に位置決めすることができ、前記突起部は、前記仕切部の凹部と係合し、それによって前記第８の端子が前記第６の端子および前記第７の端子と接触するのを防ぎ、これにより、前記ＳＤメモリ・カードまたは前記ＭＭＣメモリ・カードが前記スロットに挿入されている間、前記コネクタは、前記ＳＤメモリ・カードまたは前記ＭＭＣメモリ・カードの前記挿入を検出できることが好適である。
又、さらに、前記第３の端子の下に位置するカード検出・書込装置を備え、さらに検出部および書込禁止部を備えており、前記検出部は中空部であり、前記中空部内に位置する第１の金属シートを有し、前記第１の金属シートの一端部には突起部を有し、前記書込禁止部も中空部を有し、前記中空部内に位置する第２の金属シートを有し、前記検出部および書込禁止部の別の端部は、前記ハウジングから突出し、下向きに延び、その後前記第２の接触子と結合するように水平に延びており、それによって、前記ＳＤメモリ・カードまたは前記ＭＭＣメモリ・カードが前記スロットに挿入されている間、前記コネクタは前記ＳＤメモリ・カードまたは前記ＭＭＣメモリ・カードの前記挿入を検出することができ、前記ＳＤメモリ・カードまたは前記ＭＭＣメモリ・カードの書込禁止スイッチが開いている場合、前記書込禁止部は前記検出部に接触し、それによって前記ＳＤメモリ・カードまたは前記ＭＭＣメモリ・カードにデータを書き込むことが可能になることが好適である。
【０００６】
本考案の別の態様によると、端子はそれぞれ、表面取付技術によりプリント基板にはんだ付けするため、ハウジングの底側部から突出するそれぞれのはんだ付けされた端部を有する。
【考案を実施するための最良の形態】
【０００７】
本考案は以下の説明および添付の図面を参照することにより、より完全に理解することができる。図２〜３を参照すると、本考案の一実施形態による多数一体型コネクタ構造の展開図および組立図が示されている。図２に示すように、本考案の多数一体型コネクタ構造は、ハウジング２０と、複数の第１の端子２１と、複数の第２の端子２２と、複数の第３の端子２３と、複数の第４の端子２４とを備える。
【０００８】
ここで、ハウジング２０は導電性材料からできており、少なくとも１つのメモリ・カードを保持する挿入スロット２０１を有し、ハウジング２０の上面２０２は複数の開口２０３を有する。ハウジング２０の両側はさらに、取付孔２０４をそれぞれ備え、取付孔２０４をファスナ２０５と組み合せ、表面実装技術（ＳＭＴ）を使用することによってプリント基板１０上にはんだ付けすることができる。挿入スロット２０１は、ｘＤカード、ＭＳカード、ＳＭカード、ＳＤカード、またはＭＭＣカードなどの異なるメモリ・カードの寸法および形状を想定して作られている。第１の端子２１は湾曲した形状をしており、第１の端子２１の第１の端部２１１はそれぞれ、挿入スロット２０１に挿入され、ハウジング２０の後端部から開口２０３内に延び、第１の端子２１の第２の端部２１２はそれぞれハウジング２０の後端部から外に下向きに延び、プリント基板１０上に取り付けるため水平に延びており、第１の端子２１はＳＤ／ＭＭＣメモリ・カード５０の接触子と接触していることが好ましい。
【０００９】
第２の端子２２も湾曲した形状をしており、第２の端子２２の第１の端部２２１はそれぞれ、挿入スロット２０１に挿入され、ハウジング２０の後端部から第１の端子２１の下に配置され、第２の端子２２の第２の端部２２２はそれぞれ、取り付けのためハウジング２０の後端部から突出し、プリント基板１０上に取り付けられるように第１の端末２１と交差しており、第２の端子２２のいくつかの第１の端部２２１は第２の端子２２の他の第２の端部２２３よりも長く、第２の端子２２はＳＭ（スマート・メディア）メモリ・カード６０の接触子と接触していることが好ましい。
【００１０】
第３の端子２３も湾曲した形状をしており、第３の端子２３の第１の端部２３１はそれぞれ挿入スロット２０１に挿入され、ハウジング２０の後端部から第２の端子２２の下に配置されており、第３の端子２３の第２の端部２３２はそれぞれ、ハウジング２０の後端部から突出し、プリント基板１０上に取り付けられるように第１の端子２１および第２の端子２２と交差しており、第３の端子２３はＭＳ（メモリ・スティック）メモリ・カード３０の接触子と接触していることが好ましい。
【００１１】
第４の端子２４では、第４の端子２４の第１の端部２４１はそれぞれ、ハウジング２０の前側部から挿入スロット２０１に挿入され、ハウジング２０から突出し、下向きに延び、次いで第３の端子２３に対して閉じており、第４の端子２４の第２の端部２４２はそれぞれ、ハウジング２０の後端部から外に下向きに延び、プリント基板１０上に取り付けられるように水平に延びており、第４の端子２４はｘＤメモリ・カード４０の接触子と接触していることが好ましい。
【００１２】
さらに、本考案は挿入外れを防ぐように、第１のキャビティ２５および第１の挿入外れ防止装置２５１を備えており、第１のキャビティ２５はハウジング２０の左上に位置し、第１の挿入外れ防止装置２５１は第１のキャビティ２５の内側に位置し、それによってスマート・メディア・メモリ・カード６０が挿入されるのを防ぐ。
【００１３】
さらに、ハウジング２０は、第２のキャビティ２６と、第３のキャビティ２７と、ブロッカ２６５とを備え、第２のキャビティ２６および第３のキャビティ２７はハウジング２０の左上に位置している。ブロッカ２６５はさらに、ハンドル部２６６およびレードル部２６７を備えており、組立中に、ハンドル部２６６を第３のキャビティ２７の内側に位置決めすることができ、次いでレードル部２６７を第２のキャビティ２６の内側に位置決めして、ＳＤメモリ・カード５０を固定することができる。
【００１４】
さらに、ハウジング２０は、第４のキャビティ２８および第１のカード検出装置２８５を備え、第４のキャビティ２８はハウジング２０の右上に位置し、さらに複数の第５のキャビティ２８２を有する仕切部２８１を備えている。第１のカード検出装置２８５はさらに、第１の検出装置２８６および第２の検出装置２８９を備え、第１の検出装置２８６は第６の端子２８７および第７の端子２８８を備えている。第６の端子２８７の一端部２８７１は、下向きに延び、上向きに延び、その後水平に延びており、第７の端子２８８の一端部２８８１は左に延び、下向きに延び、その後上向きに延びている。第２の検出装置２８９はさらに、第８の端子２９０を備え、第８の端子２９０は長さが異なる２つの分岐端部２９０１、２９０２を有し、突起部２９０３、２９０４はそれぞれ、端部２９０１、２９０２の中央部に、またはその周りに位置している。第６の端子２８７、第７の端子２８８、および第８の端子２９０の別の端部は、ハウジング２０から突出し、下向きに延び、その後プリント基板１０と結合するように上向きに延びている。組立中に、第６の端子２８７および第７の端子２８８を、仕切部２８１の両側にそれぞれ位置決めすることができ、第８の端子２８１を第７の端子２８８の左上に位置決めすることができ、突起部２９０３は、仕切部２８１のキャビティ２８２と係合し、それによって第８の端子２９０が第６の端子２８７および第７の端子２８８と接触するのを防ぐ。これにより、ＳＤメモリ・カードまたはＭＭＣメモリ・カードがスロット２０１に挿入されている間、コネクタは、ＳＤメモリ・カードまたはＭＭＣメモリ・カード５０の挿入を検出することができる。
【００１５】
さらに、ハウジング２０は、第３の端子２３の下に位置するカード検出・書込装置２９５を備え、さらに検出部２９６および書込禁止部２９７を備えている。検出部２９６の一部は中空であり、この中空部内に位置する第１の金属シート２９６１を有し、第１の金属シート２９６１の一端部は突起部２９６２を有する。書込禁止部２９７も中空部を有し、中空部内に位置する第２の金属シート２９７１を有する。検出部および書込禁止部２９７の別の端部はそれぞれ、ハウジング２０から突出し、下向きに延び、その後プリント基板１０と結合するように水平に延びている。それによって、ＳＤメモリ・カードまたはＭＭＣメモリ・カード５０がスロット２０１に挿入されている間、コネクタはＳＤメモリ・カードまたはＭＭＣメモリ・カード５０の挿入を検出することができ、ＳＤメモリ・カードまたはＭＭＣメモリ・カード５０の書込禁止スイッチ（図示せず）が開いている場合、書込禁止部２９７は検出部２９６に接触し、それによってＳＤメモリ・カードまたはＭＭＣメモリ・カード５０にデータを書き込むことが可能になる。
【００１６】
図３を参照すると、本考案の一実施形態による多数一体型コネクタ構造の組立図が示されている。図３に示すように、本考案の多数一体型コネクタ構造は、ハウジング２０と、複数の第１の端子２１と、複数の第２の端子２２と、複数の第３の端子２３と、複数の第４の端子２４とからなっている。第１の端子２１は、ハウジング２０の最上部位置に配置されている。第２の端子２２は第１の端子２１の下に配置され、第２の端子２２の第２の端部２２２はそれぞれ、ハウジング２０の後端部から突出し、列として第１の端子２１と交差している。第３の端子２３は第２の端子２２の下に配置され、第３の端子２３の第２の端部２３２は、プリント基板１０上に取り付けられるように、列として第１の端子２１および第２の端子２２と交差している。第４の端子２４の第１の端部２４１はそれぞれ、ハウジング２０の前側部から挿入スロット２０１に挿入され、第３の端子２３に対して閉じており、第４の端子２４の別の端部２４２は取り付けのためハウジング２０の前側部から突出している。加えて、本考案のコネクタ構造はさらに、スマート・メディア・メモリ・カード６０へのデータの書き込みを防ぐように、第４の端子２４の一側部でハウジング２０内に設置された書込禁止装置１６を備えており、この書込禁止装置１６はさらに、複数の第５の端子１７を備えている。
【００１７】
図４ａを参照すると、本考案の一実施形態による多数一体型コネクタ構造の正面図が示されている。図４ａに示すように、第１の端子２１は明らかに、ハウジング２０の挿入スロット２０１の最上部位置に配置されている。第２の端子２２は、第１の端子２１の下に配置され、第３の端子２３と交差している。第４の端子２４は、ハウジング２０の挿入スロット２０１の最底部位置に配置されている。挿入スロット２０１の両側に配置された空間２０６により、より大きなスマート・メディア・メモリ・カード６０を挿入するためのより大きな空間が提供される。
【００１８】
図４ｂを参照すると、本考案の一実施形態による多数一体型コネクタの断面図が示されている。図４ｂに示すように、第１の端子２１、第２の端子２２、第３の端子２３、および第４の端子２４の位置がはっきり分かる。第４の端子２４の第１の端部２４１は、ハウジング２０の前側部から挿入スロット２０１に挿入され、上向きに延び、下向きに延び、第３の端子２３に対して閉じられており、第１の端子２１の別の端部２１２、第２の端子２２の別の端部２２２、および第３の端子２３の別の端部２３２は、プリント基板１０上に取り付けられるように、列として交差している。さらに、ＳＤメモリ・カード５０を検出し、書込禁止にする突起部２９０３、２９０４と、ＳＤメモリ・カード５０を遮断し、固定するブロッカ２６５の相対位置がはっきり分かる。
【００１９】
図４ｃを参照すると、本考案の一実施形態による多数一体型コネクタ構造の後面図が示されている。図４ｃに示すように、第１の端子２１の第２の端部２１２、第２の端子２２の第２の端部２２２、第３の端子２３の第２の端部２３２、第１の金属シート２９６１、および第２の金属シート２９７１はそれぞれ、ハウジング２０の後端部から外に下向きに延び、水平に延び、取り付けられるように列として明らかに交差しており、それによって組立および修復が簡単になることが分かる。
【００２０】
図４ｄを参照すると、本考案の一実施形態による多数一体型コネクタ構造の断面図が示されている。図４ｄに示すように、明らかに第１の端子２１、第２の端子２２、第３の端子２３、第１の金属シート２９６１、および第２の金属シート２９７１はそれぞれ、上から下にハウジング２０の挿入スロット２０１の内側に位置しており、第１の端子２１、第２の端子２２、第３の端子２３、第１の金属シート２９６１、および第２の金属シート２９７１の第２の端部は、ハウジング２０の後端部から外に下向きかつ水平に延び、取り付けのため列として交差しており、それによって組立および修復が簡単になることが分かる。
【００２１】
図４ｅを参照すると、本考案の一実施形態による多数一体型コネクタ構造の上面図が示されている。図４ｅに示すように、プリント基板１０上に取り付けられた第１の端子２１の一端部と、第２の端子２２、第３の端子２３、および第４の端子２４の別の端部は、ハウジング２０の後端部から外に下向きに延び、水平に延び、プリント基板１０上に取り付けられるように列として交差しており、第２の端子２２の第２の端部２２２、第１の金属シート２９６１、および第２の金属シート２９７１はそれぞれ、第２のキャビティ２６および第３のキャビティ２７の内側に位置していることが分かる。このように配置されているので、使用者が、第１の端子２１、第２の端子２２、第３の端子２３、または第４の端子２４の１つがはんだ付け不良であることを見つけた場合、まずプリント基板１０からはんだ付け不良の端子のはんだを外し、その後その端子を再びはんだ付けする必要があるだけであり、それによって多くの時間が節約される。
【００２２】
上に示すように、ハウジング２０は、ｘＤカード、ＳＭカード、ＭＳカード、ＳＤカード、およびＭＭＣカードなどの１組の異なるメモリ・カードの１つを受けるのに、１つの挿入スロット２０１だけが必要である。書込禁止装置１６を配置することにより、ＳＤカードの挿入およびその書込禁止状況が検出される。
【００２３】
本考案の特定の実施形態を、図示する目的で詳細に説明したが、本考案の精神および範囲から逸脱することなく、様々な変更および改良を加えることができる。したがって、本考案は頭記の実用新案登録請求の範囲以外によって限定されるものではない。
【図面の簡単な説明】
【００２４】
【図１ａ】従来技術の多数一体型コネクタ構造の上面図である。
【図１ｂ】従来技術の多数一体型コネクタ構造の断面図である。
【図２】本考案の一実施形態による、多数一体型コネクタ構造の展開図である。
【図３】本考案の一実施形態による、多数一体型コネクタ構造の組立図である。
【図４ａ】本考案の一実施形態による、多数一体型コネクタ構造の正面図である。
【図４ｂ】本考案の一実施形態による、多数一体型コネクタ構造の断面図である。
【図４ｃ】本考案の一実施形態による、多数一体型コネクタ構造の後面図である。
【図４ｄ】本考案の一実施形態による、多数一体型コネクタ構造の断面図である。
【図４ｅ】本考案の一実施形態による、多数一体型コネクタ構造の上面図である。
【符号の説明】
【００２５】
１０  プリント基板
１６  書込禁止装置
１７  第５の端子
２０  ハウジング
２１  第１の端子
２２  第２の端子
２３  第３の端子
２４  第４の端子
２５  第１のキャビティ
２６  第２のキャビティ
２７  第３のキャビティ
２８  第４のキャビティ
３０  ＭＳ（メモリ・スティック）メモリ・カード
４０  ｘＤメモリ・カード
５０  ＳＤメモリ・カード、ＳＤメモリ・カードまたはＭＭＣメモリ・カード
６０  ＳＭ（スマート・メディア）メモリ・カード
７１  第１の端子
７２  第２の端子
７３  第３の端子
２０１  挿入スロット
２０２  上面
２０３  開口
２０４  取付孔
２０５  ファスナ
２０６  空間
２１１  第１の端部
２１２  第２の端部
２２１  第１の端部
２２２  第２の端部
２２３  第１の端部
２３１  第１の端部
２３２  第２の端部
２４１  第１の端部
２４２  第２の端部
２５１  第１の挿入外れ防止装置
２６５  ブロッカ
２６６  ハンドル部
２６７  レードル部
２８１  仕切部
２８２  第５のキャビティ、凹部
２８５  第１のカード検出装置
２８６  第１の検出装置
２８７  第６の端子
２８８  第７の端子
２８９  第２の検出装置
２９０  第８の端子
２９５  カード検出・書込装置
２９６  検出部
２９７  書込禁止部
２８７１  端部
２８８１  端部
２９０１  端部
２９０２  端部
２９０３  突起部
２９０４  突起部
２９６１  第１の金属シート
２９６２  突起部
２９７１  第２の金属シート
【図１ａ】
0003104573.tif 000003
【図１ｂ】
0003104573.tif 000004
【図２】
0003104573.tif 000005
【図３】
0003104573.tif 000006
【図４ａ】
0003104573.tif 000007
【図４ｂ】
0003104573.tif 000008
【図４ｃ】
0003104573.tif 000009
【図４ｄ】
0003104573.tif 000010
【図４ｅ】
0003104573.tif 000011